(57)【特許請求の範囲】
【請求項１】
液体を噴霧することにより固化が始まる特殊アスファルト合材を、前記液体が噴霧される領域を通過する当該特殊アスファルト合材量を合材仕切り板で所定量に規制しつつ舗装施工する特殊アスファルト合材用アスファルトフィニッシャの合材仕切り板であって、
前記合材仕切り板は、合材仕切り板本体の下部に該合材仕切り板本体と協働して前記特殊アスファルト合材の通過量を規制するエッジを上下動可能に取付け、該エッジの上下位置を舗装施工中に操作可能な位置に設けた操作部の操作により調整するようにしたことを特徴とする特殊アスファルト合材用アスファルトフィニッシャの合材仕切り板。
【請求項２】
上記操作部は、回転ハンドルであり、該回転ハンドルの回動操作量をリンク機構により上下の操作量に変換して上記エッジの上下位置を調整するようにしたことを特徴とする請求項１記載の特殊アスファルト合材用アスファルトフィニッシャの合材仕切り板。
【請求項３】
上記エッジは、上記合材仕切り板本体の幅方向に２分割式とするとともに２分割した各エッジは、それぞれ独立して上下位置の調整を可能としたことを特徴とする請求項１又は２記載の特殊アスファルト合材用アスファルトフィニッシャの合材仕切り板。
【発明の詳細な説明】
【技術分野】
【０００１】
本発明は、特殊アスファルト合材用アスファルトフィニッシャの合材仕切り板に関するものであり、特に、特殊液体又は水等（以下、単に「液体」という。）が噴霧される領域を通過させる特殊アスファルト合材量を施工条件が変化しても常に容易、且つ効率よく所定量に規制することが可能な特殊アスファルト合材用アスファルトフィニッシャの合材仕切り板に関するものである。
【背景技術】
【０００２】
近時の温暖化ガス削減方針や建設工事での工期短縮及び費用削減等の要求より、特殊なアスファルト合材を用いた道路舗装が増えている。その一方法として、液体を噴霧することで固化が始まる特殊アスファルト合材を用いた道路舗装がある。液体を噴霧することで固化が始まる特殊アスファルト合材の場合、その液体の噴霧タイミングや噴霧個所、噴霧量が舗装品質に大きく影響する。このため、液体が噴霧される領域に所定量の特殊アスファルト合材を通過させる必要がある。また、その後のその特殊アスファルト合材により完成した舗装体に含まれる液体量を一定とするために、液体が噴霧される領域を通過する特殊アスファルト合材量を調整する合材仕切り板を含む機構を備えている必要があり、その調整を施工中でも簡単に行えるようにすることが求められる。
【０００３】
上記の液体が噴霧される領域を通過する特殊アスファルト合材量を調整する合材仕切り板を備えた従来の特殊アスファルト合材用アスファルトフィニッシャを図３を用いて説明する。特殊アスファルト合材用アスファルトフィニッシャは、図示しない本体トラクタ部の前部に特殊アスファルト合材を貯蔵する図示しないホッパが備えられ、該ホッパに貯蔵された特殊アスファルト合材が、図示しないコンベヤで本体トラクタ部の後部に搬送され、この搬送された特殊アスファルト合材Ａがスクリュー１で本体トラクタ部の幅方向に撒き拡げられる。該スクリュー１の後方には、撒き拡げられた特殊アスファルト合材Ａを敷き均すためのスクリード２が図示しないスクリードアームの後端部に支持されて設けられている。
【０００４】
前端側が前記本体トラクタ部に連結された前記スクリードアームは、通常アスファルト合材用アスファルトフィニッシャにおけるものよりも所要量長く形成されてスクリード２が所要量だけ後側に移設され、スクリュー１とスクリード２の間に所要間隔が設けられている。そして、この所要間隔の部位に液体Ｂを噴霧する液体噴霧装置３が設けられ、また該液体Ｂが噴霧される領域を通過する特殊アスファルト合材Ａを所定量に規制する合材仕切り板４がスクリード２側にボルト締結等により固定されている。
【０００５】
また、上記の特殊合材施工用機器に内装された合材仕切り板に関連する従来技術として、例えば、次のような舗装機械におけるアスファルト合材量の調整装置が知られている。この従来技術は、モールドボードを備えた舗装機械において、該モールドボードの上端部に設けたパイプ軸の下部にシャフトを回転自在に配設し、該シャフトに軸方向の動きを上下方向に変換する操作方向変換手段を設けてモールドボードの上端部を連結するとともに、前記シャフトの一端部を前記モールドボードの外側部に突出して操作部を形成してある。このモールドボード近傍の操作部にてスクリード前に溜まるアスファルト合材量を観察しながら該シャフトを回転させることにより、モールドボードが上下いずれかに動いて前記モールドボードの下端部と路面との隙間を変更することができる。このように、アスファルト合材量を観察しながらモールドボードの高さが調整可能であるため、スクリード前に溜まるアスファルト合材量が合材の種類や温度等により変化した場合であっても、現場の状況を適切に捉えて該モールドボードの高さを変更することにより、アスファルト合材量を一定量に保持することができる（例えば、特許文献１参照）。
【先行技術文献】
【特許文献】
【０００６】
【特許文献１】特許第３７１３２４７号公報
【発明の概要】
【発明が解決しようとする課題】
【０００７】
図３に示した従来技術においては、液体が噴霧される領域を通過する特殊アスファルト合材を所定量に規制する合材仕切り板がスクリード側にボルト締結により固定されている。このため、舗装施行開始前には合材仕切り板の上下位置を施工条件に合わせて適宜に調整することは可能であるが、舗装施工中に施工条件が変化した場合、その変化に応じて合材仕切り板の上下位置を調整することは困難であった。
【０００８】
また、特許文献１に記載の従来技術においては、スクリード前に溜まるアスファルト合材量が合材の種類や温度等により変化した場合、モールドボード全体の高さを変更することにより、アスファルト合材量を一定量に保持しうることが記載されている。
【０００９】
しかしながら、完成した舗装体に含まれる液体量をほぼ一定に規制して所定の舗装性能を達成するためには、舗装施工中に施工条件が変化しても、その変化に応じて合材仕切り板の上下位置を容易、且つ効率よく調整しうることが求められる。
【００１０】
そこで、合材仕切り板本体の下端部に上下動可能に取付けたエッジの上下位置を舗装施工中でも調整可能として、液体が噴霧される領域を通過させる特殊アスファルト合材量を施工条件が変化しても常に容易、且つ効率よく所定量に規制して所定の舗装性能を達成するために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、液体を噴霧することにより固化が始まる特殊アスファルト合材を、前記液体が噴霧される領域を通過する当該特殊アスファルト合材量を合材仕切り板で所定量に規制しつつ舗装施工する特殊アスファルト合材用アスファルトフィニッシャの合材仕切り板であって、前記合材仕切り板は、合材仕切り板本体の下部に該合材仕切り板本体と協働して前記特殊アスファルト合材の通過量を規制するエッジを上下動可能に取付け、該エッジの上下位置を舗装施工中に操作可能な位置に設けた操作部の操作により調整するようにした特殊アスファルト合材用アスファルトフィニッシャの合材仕切り板を提供する。
【００１２】
この構成によれば、合材仕切り板本体の下部に上下動可能に取付けたエッジの上下位置が操作部の操作により調整されて、舗装施工中においても合材仕切り板全体の高さが所要高さに調整される。したがって、液体が噴霧される領域を通過させる特殊アスファルト合材量を、舗装施工中に施工条件が変っても常に所定量に規制することが可能となる。
【００１３】
請求項２記載の発明は、請求項１記載の発明において、上記操作部は、回転ハンドルであり、該回転ハンドルの回動操作量をリンク機構により上下の操作量に変換して上記エッジの上下位置を調整するようにした特殊アスファルト合材用アスファルトフィニッシャの合材仕切り板を提供する。
【００１４】
この構成によれば、操作部は、舗装施工中であっても操作性の良好な回転ハンドルであり、この回転ハンドルの回動操作量がリンク機構により上下の操作量に変換されて、エッジが確実、且つ容易に所要の上下位置に調整される。
【００１５】
請求項３記載の発明は、請求項１又は２記載の発明において、上記エッジは、上記合材仕切り板本体の幅方向に２分割式とするとともに２分割した各エッジは、それぞれ独立して上下位置の調整を可能とした特殊アスファルト合材用アスファルトフィニッシャの合材仕切り板を提供する。
【００１６】
この構成によれば、エッジは合材仕切り板本体の幅方向に２分割され、２分割された各エッジが、それぞれ独立して上下位置の調整が可能とされていることで、アスファルトフィニッシャに対して左右の舗装幅が異なるなど、左右の施工条件が異なった場合にも、左右それぞれの合材仕切り板全体の高さを所要高さに調整することができて、左右それぞれの液体が噴霧される領域を通過させる特殊アスファルト合材量を、左右の施工条件に対応した所定量にそれぞれ規制することが可能となる。
【発明の効果】
【００１７】
請求項１記載の発明は、合材仕切り板本体の下端部に上下動可能に取付けたエッジの上下位置を調整して舗装施工中においても合材仕切り板全体の高さを所要高さに調整することができて、液体が噴霧される領域を通過させる特殊アスファルト合材量を、舗装施工中に施工条件が変化しても常に容易、且つ効率よく所定量に規制して所定の舗装性能を達成することができるという利点がある。
【００１８】
請求項２記載の発明は、請求項１記載の発明の効果に加えてさらに、舗装施工中であっても操作性の良好な回転ハンドルの操作によりエッジの上下位置を調整して合材仕切り板全体の高さを確実、且つ容易に所要高さに調整することができるという利点がある。
【００１９】
請求項３記載の発明は、請求項１又は２記載の発明の効果に加えてさらに、アスファルトフィニッシャに対して左右の舗装幅が異なるなど、左右の施工条件が異なるような場合にも、左右それぞれの合材仕切り板全体の高さを所要高さに調整することができて、左右それぞれの液体が噴霧される領域を通過させる特殊アスファルト合材量を、左右の施工条件に対応した所定量にそれぞれ容易、且つ効率よく規制することができるという利点がある。
【図面の簡単な説明】
【００２０】
【図１】本発明の実施例に係る特殊アスファルト合材用アスファルトフィニッシャの合材仕切り板を示す側面図。
【図２】図１の特殊アスファルト合材用アスファルトフィニッシャの合材仕切り板を背面側から見た図。
【図３】従来の特殊アスファルト合材用アスファルトフィニッシャの合材仕切り板を示す側面図。
【発明を実施するための形態】
【００２１】
本発明は、合材仕切り板本体の下端部に上下動可能に取付けたエッジの上下位置を舗装施工中でも調整可能として、液体が噴霧される領域を通過させる特殊アスファルト合材量を施工条件が変化しても常に容易、且つ効率よく所定量に規制して所定の舗装性能を達成するという目的を達成するために、液体を噴霧することにより固化が始まる特殊アスファルト合材を、前記液体が噴霧される領域を通過する当該特殊アスファルト合材量を合材仕切り板で所定量に規制しつつ舗装施工する特殊アスファルト合材用アスファルトフィニッシャの合材仕切り板であって、前記合材仕切り板は、合材仕切り板本体の下部に該合材仕切り板本体と協働して前記特殊アスファルト合材の通過量を規制するエッジを上下動可能に取付け、該エッジの上下位置を舗装施工中に操作可能な位置に設けた操作部の操作により調整することにより実現した。
【実施例１】
【００２２】
以下、本発明の好適な実施例を図１及び図２を参照して説明する。なお、図１及び図２において前記図３における構成要素と同一ないし均等のものは、前記と同一符合を以って示し、重複した説明を省略する。まず、本実施例に係る特殊アスファルト合材用アスファルトフィニッシャの合材仕切り板の構成を説明する。
【００２３】
図１において、本実施例では、合材仕切り板５が、上端がスクリード２側にボルト締結等により固定された合材仕切り板本体５ａと、該合材仕切り板本体５ａの下部に上下動可能に取付けられたエッジ６とで構成されている。該エッジ６は合材仕切り板本体５ａと協働して特殊アスファルト合材Ａの通過量を規制する。
【００２４】
前記エッジ６には、下シャフト７ａの下端が連結され、該下シャフト７ａの上端は、支軸８に支持されたリンク機構９を介して上シャフト７ｂの下端に連結されている。該上シャフト７ｂの上端は舗装施工中に操作可能な位置であるスクリード２の上方に突出され、その突出部に操作部としての回転ハンドル１０が取付けられている。
【００２５】
前記上シャフト７ｂの上部側は、該上シャフト７ｂを回動自在に支持する支持部１１を介してスクリード２の上部に支持されている。前記回転ハンドル１０の回動操作量がリンク機構９により上下の操作量に変換されて前記エッジ６の上下位置が調整される。
【００２６】
図２に示すように、前記エッジ６は、合材仕切り板本体５ａの幅方向に２分割式とされ、２分割された各エッジ６には各別にリンク機構９及び回転ハンドル１０等の上下位置調整機構が設けられて、各エッジ６は、それぞれ独立して上下位置の調整が可能とされている。
【００２７】
なお、操作部は、前記回転ハンドル１０を用いた上下作動方式だけでなく、電気モータや油圧モータを用いた上下作動方式も考えられる。
【００２８】
次に、上述のように構成された特殊アスファルト合材用アスファルトフィニッシャの合材仕切り板の作用を説明する。合材仕切り板本体５ａの下部に上下動可能に取付けたエッジ６の上下位置が、舗装施工中においても回転ハンドル１０の回動操作によりリンク機構９を介して調整されて、合材仕切り板５全体の高さが所要高さに調整される。
【００２９】
即ち、舗装施工中に施工条件の変化等により、合材仕切り板５を通過して液体Ｂが噴霧される領域部における特殊アスファルト合材Ａ量が多いと判断した場合には、回転ハンドル１０をエッジ下げ方向に回動操作することで合材仕切り板本体５ａの下部に取付けたエッジ６を下げる。この操作により合材仕切り板５を通過する特殊アスファルト合材Ａ量を減らして液体Ｂが噴霧される領域部における特殊アスファルト合材Ａ量を減らし、特殊アスファルト合材Ａに対する液体Ｂ噴霧量が一定となるようにする。
【００３０】
一方、合材仕切り板５を通過して液体Ｂが噴霧される領域部における特殊アスファルト合材Ａ量が少ないと判断した場合には、回転ハンドル１０をエッジ上げ方向に回動操作することで合材仕切り板本体５ａの下部に取付けたエッジ６を上げる。この操作により合材仕切り板５を通過する特殊アスファルト合材Ａ量を増やして液体Ｂが噴霧される領域部における特殊アスファルト合材Ａ量を増やし、特殊アスファルト合材Ａに対する液体Ｂ噴霧量が一定となるようにする。
【００３１】
また、エッジ６は合材仕切り板本体５ａの幅方向に２分割され、２分割された各エッジ６が、各別に設けられた回転ハンドル１０の回動操作により、それぞれ独立して上下位置の調整が可能とされていることで、アスファルトフィニッシャに対して左右の舗装幅が異なるなど、左右の施工条件が異なった場合にも、左右それぞれの合材仕切り板５全体の高さを所要高さに調整することができて、左右それぞれの液体Ｂが噴霧される領域を通過させる特殊アスファルト合材Ａ量を、左右の施工条件に対応した所定量にそれぞれ規制することが可能となる。
【００３２】
上述したように、本実施例に係る特殊アスファルト合材用アスファルトフィニッシャの合材仕切り板においては、合材仕切り板本体５ａの下端部に上下動可能に取付けたエッジ６の上下位置を調整して舗装施工中においても合材仕切り板５全体の高さを所要高さに調整することができて、液体Ｂが噴霧される領域を通過させる特殊アスファルト合材Ａ量を、舗装施工中に施工条件が変化しても常に容易、且つ効率よく所定量に規制して所定の舗装性能を達成することができる。
【００３３】
舗装施工中であっても操作性の良好な回転ハンドル１０の操作によりエッジ６の上下位置を調整して合材仕切り板５全体の高さを確実、且つ容易に所要高さに調整することができる。
【００３４】
アスファルトフィニッシャに対して左右の舗装幅が異なるなど、左右の施工条件が異なるような場合にも、左右それぞれの合材仕切り板５全体の高さを所要高さに調整することができて、左右それぞれの液体Ｂが噴霧される領域を通過させる特殊アスファルト合材Ａ量を、左右の施工条件に対応した所定量にそれぞれ容易、且つ効率よく規制することができる。
【００３５】
なお、本発明は、本発明の精神を逸脱しない限り種々の改変をなすことができ、そして、本発明が該改変されたものにも及ぶことは当然である。
【産業上の利用可能性】
【００３６】
合材仕切り板本体の下端部に上下動可能に取付けたエッジの上下位置を舗装施工中でも調整可能として、特殊の液体が噴霧される領域を通過させるアスファルト合材量を施工条件が変化しても常に容易、且つ効率よく所定量に規制して所定の舗装性能を達成することが不可欠な特殊合材施工用のアスファルトフィニッシャ以外の他の合材施工用のアスファルトフィニッシャにも広く適用することが可能である。
【符号の説明】
【００３７】
１    スクリュー
２    スクリード
３    液体噴霧装置
５    合材仕切り板
５ａ  合材仕切り板本体
６    エッジ
７ａ  下シャフト
７ｂ  上シャフト
８    支軸
９    リンク機構
１０    回転ハンドル
１１    支持部
【図１】
0005183727.tif 000002
【図２】
0005183727.tif 000003
【図３】
0005183727.tif 000004